(57)【特許請求の範囲】
【請求項１】
シャフトの外周面にロック溝を形成した雄部材と、内部に前記雄部材が挿入される筒体の壁面にロック爪挿着窓を形成した雌部材本体と、雌部材本体の外周に移動自在に嵌合する環状体から軸方向に伸びたロックアームの先端に、前記雌部材本体のロック爪挿着窓に挿着され、前記雌部材本体内に挿入された雄部材のロック溝に係止するロック爪を設けた弾性材料により形成されるロック体とからなり、前記雌部材本体のロック爪挿着窓に挿着されている前記ロックアームの先端に設けたロック爪は、該ロック爪が前記雌部材本体に挿入された雄部材の先端部で押されてロックアームが径方向に拡開することにより前記雄部材の雌部材本体内への挿入を可能とし、ロック爪の位置に雄部材のロック溝が達したとき、ロックアームの弾性復元力で径方向に縮閉することにより雄部材のロック溝に係止するようになっており、更に、前記雌部材本体とロック体との少なくとも一方には、ロック体の軸方向への移動により当接して前記ロックアームを径方向に拡開し、ロック爪を雄部材のロック溝から外すテーパー面からなるロック解除手段を設けたことを特徴とする継手。
【請求項２】
雌部材本体とロック体との間には、ロック溝にロック爪が係止している雄部材に引張力が加わったとき、ロック爪を内径方向に作用させるロック爪締付手段を設けたことを特徴とする請求項１記載の継手。
【請求項３】
雄部材に有するロック溝がシャフトの軸方向に複数形成されていることを特徴とする請求項１記載の継手。
【発明の詳細な説明】
【０００１】
【発明の属する技術分野】
本発明は、２つの物体をワンタッチで着脱自在に連結固定する継手に関するものである。
【０００２】
【発明が解決しようとする課題】
２つの物体をワンタッチで着脱自在に連結固定する継手が数多く提案され使用されているが、これらの継手は一般に部品点数が多く、また構造が複雑であるため、その製造に手間がかかり、また高価なものとなっている。
【０００３】
本発明は上記点に鑑みなされたもので、その目的は部品点数を少なくするとともに構造を簡単にすることにより、製造を容易に且つ低価格化を図れるようにした継手を提供するところにある。
【０００４】
本発明の他の目的は、連結力の強化を図れるようにうした継手を提供するところにある。
本発明の他の目的は、連結位置の調整を可能にした継手を提供するところにある。
【０００５】
【課題を解決するための手段】
本発明に係る継手は、シャフトの外周面にロック溝を形成した雄部材と、内部に前記雄部材が挿入される筒体の壁面にロック爪挿着窓を形成した雌部材本体と、雌部材本体の外周に移動自在に嵌合する環状体から軸方向に伸びたロックアームの先端に、前記雌部材本体のロック爪挿着窓に挿着され、前記雌部材本体内に挿入された雄部材のロック溝に係止するロック爪を設けた弾性材料により形成されるロック体とからなり、前記雌部材本体のロック爪挿着窓に挿着されている前記ロックアームの先端に設けたロック爪は、該ロック爪が前記雌部材本体に挿入された雄部材の先端部で押されてロックアームが径方向に拡開することにより前記雄部材の雌部材本体内への挿入を可能とし、ロック爪の位置に雄部材のロック溝が達したとき、ロックアームの弾性復元力で径方向に縮閉することにより雄部材のロック溝に係止するようになっており、更に、前記雌部材本体とロック体との少なくとも一方には、ロック体の軸方向への移動により当接して前記ロックアームを径方向に拡開し、ロック爪を雄部材のロック溝から外すテーパー面からなるロック解除手段を設けたことを特徴とする継手。
【０００６】
本発明に係る継手によれば、雄部材を雌部材本体内に挿入すると、雌部材本体のロック爪挿着窓に挿着されているロック爪が雄部材の先端部で押されてロックアームが径方向に拡開し、ロック爪の位置に雄部材のロック溝が達したとき、ロックアームの弾性復元力で径方向に縮閉することにより前記ロック爪が雄部材のロック溝に係止し、雌部材本体と雄部材とがロックされる。このロックの解除にあっては、雌部材本体の外周に嵌合したロック体を軸方向に移動させると、雌部材本体とロック体との少なくとも一方に設けたロック解除手段となるテーパー面が当接して前記ロックアームを径方向に拡開しロック爪が雄部材のロック溝から外れて雄部材のロックが解除され、雌部材本体と雄部材とを分離できる。上記の雌部材本体と雄部材にそれぞれ所定の物体を取付けることにより、該２つの物体を容易に着脱自在に連結固定することができる。
【０００７】
上記本発明に係る継手は、雄部材、雌部材本体、ロック体の３つの部品により構成されるので、部品点数が少なく、また構造が簡単なので製造が容易であり、安価に得ることができる。
【０００８】
また、本発明に係る継手は、雌部材本体とロック体との間には、ロック溝にロック爪が係止している雄部材に引張力が加わったとき、ロック爪を内径方向に作用させるロック爪締付手段を設けたことを特徴とする。
【０００９】
従って、雌部材本体に連結している雄部材に引張力が加わったとき、内径方向に作用されたロック爪は雄部材のロック溝に喰い込むように強く押し付けられることになり、引張力に対して強い連結力を保持する。
【００１０】
また、本発明に係る継手は、雄部材に有するロック溝がシャフトの軸方向に複数形成されていることを特徴とする。
【００１１】
従って、ロック爪に係止するロック溝を選択することにより、雌部材本体と雄部材との連結位置の調整が可能となる。
【００１２】
【発明の実施の形態】
以下、本発明の実施の形態を詳細に説明する。
図１乃至図３は本発明の実施の形態の一例を示すものである。
同図において、１は雄部材、２は雄部材１を挿入する雌部材本体、３は雌部材本体２に挿入された雄部材１をロックして雌部材本体２と雄部材１とを着脱自在に連結するロック体である。
【００１３】
前記雄部材１にあっては、シャフト４の先端部外周にロック溝５が形成されている。また、シャフト４の先端部には、後に述べるロック体３のロック爪を雌部材本体２の内部から外方へ押し上げるテーパー状の押し上げ面６が形成されている。また、シャフト４の後端部には被連結物Ａを取付ける取付部７が設けられている。この取付部７にはねじが設けられているが、必ずしもねじである必要は無く、被連結物Ａの取付部の形状に合わせることができる。
【００１４】
前記雌部材本体２にあっては、内部に前記雄部材１を挿入する筒体８で構成されている。この筒体８の筒壁には前記ロック体３のロック爪が挿着されるロック爪挿着窓９が形成されている。また、筒体８の雄部材挿入側端部外周にはフランジ１０が形成され、また筒体８の外周には螺子１１が形成され、この螺子１１にナット１２が螺合されており、前記フランジ１０とナット１２とにより雌部材本体２を被連結物Ｂに取付ける取付部１３が構成されている。
【００１５】
前記ロック体３にあっては、雌部材本体２の外周に移動自在に嵌合する環状体１４に軸方向に伸びたロックアーム１５が設けられ、ロックアーム１５の先端部内面に、前記雌部材本体２のロック爪挿着窓９に挿着されるロック爪１６が設けられている。このロック体３は弾性材料により形成されており、前記ロックアーム１５は弾発的に拡開可能となっている。弾性材料としては、製造の容易性、軽量化の面から合成樹脂であることが好ましい。
【００１６】
前記ロックアーム１５の先端部内面に設けたロック爪１６は、雌部材本体２内に挿入された雄部材１の先端部に形成されている押し上げ面６により押し上げられ、ロックアーム１５が拡開して、ロック爪１６が雌部材本体２の内部から押し出され、雄部材１の更なる挿入を可能にし、そして雄部材１のロック溝５がロック爪１６の位置に達したとき、前記ロックアーム１５の復元力によりロック爪１６が雌部材本体２の内部に入り前記ロック溝５に係止するようになっている。このロック爪１６の先端には、前記雄部材１の押し上げ面６に押されたとき、円滑な押し上げを可能にするためにテーパー面１７が形成されている。
【００１７】
雌部材本体２とロック体３との間には、ロック体３を後端側（図２上左側）へ移動させることにより、ロックアーム１５を拡げてロック爪１６を雄部材１のロック溝５から外すロック解除手段１８が設けられている。
【００１８】
このロック解除手段１８は次のような構成となっている。即ち、ロックアーム１５の内面でロック爪１６の後端寄りに、ロック爪１６とともに雌部材本体２のロック爪挿着窓９に挿着される係合段部１９が形成されている。この係合段部１９はロック爪１６より低く、ロック爪挿着窓９に挿着されたとき、雌部材本体２の内部に入らない高さで且つ係合段部１９が雌部材本体２の外周面上に押し上げられたとき、ロック爪１６が雄部材１のロック溝５から外れる高さとなっている。この係合段部１９の端面は、ロック体３を後端側へ移動させたとき、前記ロック爪挿着窓９の後端側端部２０から雌部材本体２の外周面上への押し上げを容易にするためにテーパー面２１が形成されており、また、前記後端側端部２０の端面外周側に、前記テーパー面２１に摺接するテーパー面２２が形成されている。
【００１９】
更に、雌部材本体２とロック体３との間には、雌部材本体２内でロック溝５にロック爪１６が係止している雄部材１に引張力が加わったとき、ロック爪１６を内径方向に作用させるロック爪締付手段２３が設けられている。
【００２０】
このロック爪締付手段２３は次のような構成となっている。
ロックアーム１５の先端に、後端側に傾斜するテーパー面２４が形成され、一方、ロックアーム１５の先端に当接する雌部材本体２のロック爪挿着窓９の前端側端部２５には、前記テーパー面２４に対応するテーパー面２６が形成されており、雄部材１に引張力が加わったとき、前記ロックアーム１５の先端のテーパー面２４が雌部材本体２に形成されたロック爪挿着窓９の前端側端部２５のテーパー面２６を摺動し、ロックアーム１５の先端が内径方向に締付けられ、ロック爪１６が雄部材１のロック溝５に食込むように作用する。
【００２１】
雌部材本体２の後端部外周には鍔部２７が形成されており、この鍔部２７に後端側へ移動したロック体３の後端が当接し、雌部材本体２から抜け出るのが防止されている。
【００２２】
上記した本発明の実施形態では、雌部材本体２に雄部材１を連結固定するにあたり、雌部材本体２の外周に嵌合してあるロック体３を先端側（図２上右側）へ移動させ、ロック爪１６をロック爪挿着窓９に挿着した状態から、雌部材本体２内に雄部材１を挿入する。雌部材本体２内に挿入した雄部材１は、その先端部が雌部材本体２内に入っているロック爪１６に当接し、更に雄部材１の挿入を続けると、前記ロック爪１６は雄部材１の先端部のテーパー状に形成された押し上げ面６により押され、これによりロックアーム１５が弾発力に抗して開き、ロック爪１６が雌部材本体２内から外径方向に移動し、これにより、雄部材１の更なる挿入を可能にする。そして、更に雄部材１の挿入を続け、雄部材１の外周に形成されているロック溝５が前記ロック爪１６の位置に達したとき、ロックアーム１５の復元力によりロック爪１６が雌部材本体２内に入ってロック溝５に係合し、これにより雌部材本体２と雄部材１とが連結固定される。
【００２３】
この状態で、雄部材１に引張力が加わると、前記の通り、ロックアーム１５の先端のテーパー面２４が雌部材本体２に形成されたロック爪挿着窓９の前端側端部２５のテーパー面２６を摺動し、ロックアーム１５の先端が内径方向に締付けられ、ロック爪１６が雄部材１のロック溝５に食込むように作用し、引張力に対して強い連結力を保持する。
【００２４】
また、前記連結した雌部材本体２と雄部材１とを分離する場合、環状体１４を摘んでロック体３を後端側へ移動させると、ロックアーム１５の内面に形成した係合段部１９がテーパー面２１，２２に案内されて雌部材本体２の外周面に押し上げられ、これによりロックアーム１５が拡き、ロック爪１６が雄部材１のロック溝５から外れて雌部材本体２と雄部材１の分離が可能となる。
【００２５】
図４乃至図６は本発明の他の実施形態の一例を示すものであり、この実施形態では雄部材１となるシャフト４の先端外周に形成したロック溝５が軸方向に複数形成されている。この複数形成されたロック溝５の先端側壁面はそれぞれ、シャフト４の先端部に形成されているテーパー状の押し上げ面６と概ね相似するテーパー面２８が形成されている。一方、このロック溝５に係止するロック体３のロック爪１６は、前記複数形成されているロック溝５の溝形と同形の複数の突状部２９を有しており、この突状部２９のそれぞれの先端側壁面には、ロック爪１６の先端に形成されているテーパー面１７と概ね相似のテーパー面３０が形成されている。
【００２６】
また、雌部材本体２の壁面には、ロック爪挿着窓９の後端側に位置して窓３１が形成されており、この窓３１にロック体３のロックアーム１５の内面に突設した突部３２が軸方向移動自在に挿入され且つロック体３が後端側へ移動したとき、前記突部３２が窓３１の後端側端部に当接して雌部材本体２からロック体３が抜け出るのが防止されている。
【００２７】
この実施形態によれば、雌部材本体２に雄部材１を挿入すると、ロック爪１６は雄部材１の先端部のテーパー状に形成された押し上げ面６により押され、これによりロックアーム１５が弾発力に抗して拡き、ロック爪１６が雌部材本体２内から外径方向に移動し、これにより雄部材１の更なる挿入を可能にする。そして、更に雄部材１の挿入を続け雄部材１の外周に形成しているロック溝５が前記ロック爪１６の位置に達したとき、ロックアーム１５の復元力によりロック爪１６が雌部材本体２内へ入りロック溝５に係合し、これにより雌部材本体２と雄部材１とが連結固定される。ここにおいて、雄部材１には軸方向に複数のロック溝５が形成されており、雄部材１を更に挿入すると、ロック溝５の先端側壁面に形成したテーパー面２８とロック爪１６の突状部２９の先端側壁面に形成したテーパー面３０とが摺動してロック爪１６を押し上げ、雄部材１の挿入に従い、ロック爪１６は軸方向に形成されたロック溝５に対し順次係止・離脱を繰返す。
【００２８】
これにより、ロック溝５に対しロック爪１６の係止位置を選択することにより、雌部材本体２と雄部材１との連結位置の調整が可能となる。
【図面の簡単な説明】
【図１】本発明の実施形態の一例を示す一部縦断正面図。
【図２】図１に示す雌部材本体と雄部材とを連結した状態を示す一部縦断拡大正面図。
【図３】図１に示す雌部材本体と雄部材のロックを解除した状態を示す一部縦断要部拡大正面図。
【図４】本発明の実施形態の他の一例を示す一部縦断正面図。
【図５】図４に示す雌部材本体と雄部材を連結した状態を示す一部縦断拡大正面図。
【図６】図１に示す雌部材本体と雄部材のロックを解除した状態を示す一部縦断要部拡大正面図。
【符号の説明】
１      雄部材
２      雌部材本体
３      ロック体
４      シャフト
５      ロック溝
６      押し上げ面
７      取付部
８      筒体
９      ロック爪挿着窓
１０    フランジ
１１    螺子
１２    ナット
１３    取付部
１４    環状体
１５    ロックアーム
１６    ロック爪
１７    テーパー面
１８    ロック解除手段
１９    係合段部
２０    後端側端部
２１    テーパー面
２２    テーパー面
２３    ロック爪締付手段
２４    テーパー面
２５    前端側端部
２６    テーパー面
２７    鍔部
２８    テーパー面
２９    突状部
３０    テーパー面
３１    窓
３２    突部
【図１】
0003734863.tif 000002
【図２】
0003734863.tif 000003
【図３】
0003734863.tif 000004
【図４】
0003734863.tif 000005
【図５】
0003734863.tif 000006
【図６】
0003734863.tif 000007